(57)【要約】【課題】給紙装置にセットされたシートと設定されたシートサイズが同じでも、設定シートサイズと格納シートサイズの縦横サイズが入れ替わっている場合、シートサイズを入れ替えることができる画像形成装置を提供する。【解決手段】画像形成装置１０は、手差しトレイ５００ｅと、手差しトレイ５００ｅにセットされたシートＳの「シート長さＸ」及び「シート幅Ｙ」を設定するサイズ設定画面と、手差しトレイ５００ｅに設けられたシートの「シート長さＸ」又は「シート幅Ｙ」のいずれか１方を検知する可変抵抗器５０３と、可変抵抗器５０３で検知したシート長さと、操作者によって設定され、可変抵抗器５０３で検知したシート長さと同じ方向のシート長さとが一致せず、異なる方向のシート長さとが一致する場合に、操作者により設定された「シート長さＸ」と「シート幅Ｙ」とを入れ替える入替え手段（ステップＳ１０１１）と、を有する。【選択図】図６
2015129880.tif 000002
【特許請求の範囲】
【請求項１】
画像が形成されるシートを供給する給紙手段と、
前記給紙手段にセットされたシートの搬送方向の長さＸ及び搬送方向に直交する方向の長さＹを設定するサイズ設定手段と、
前記給紙手段に設けられた前記シートのシート搬送方向の長さＸ及びシート搬送方向に直交する方向の長さＹのいずれか一方を検知する長さ検知手段と、
前記長さ検知手段が検知するシート長さと、前記サイズ設定手段により設定され、前記長さ検知手段が検知するシート長さと同じ方向のシート長さとが一致せず、前記長さ検知手段が検知するシート長さと、前記サイズ設定手段により設定され、前記長さ検知手段が検知するシート長さとは異なる方向のシート長さとが一致する場合に、前記サイズ設定手段により設定された前記シート搬送方向の長さＸとシート搬送方向に直交する方向の長さＹとを入れ替える入替え手段と、を有することを特徴とする画像形成装置。
【請求項２】
前記長さ検知手段が検知するシート長さと、前記サイズ設定手段により設定され、前記長さ検知手段が検知するシート長さと同じ方向のシート長さとが一致せず、前記長さ検知手段が検知するシート長さと、前記サイズ設定手段により設定され、前記長さ検知手段が検知するシート長さとは異なる方向のシート長さとが一致する場合に、前記サイズ設定手段により設定された前記シート搬送方向の長さＸとシート搬送方向に直交する方向の長さＹとが入れ替わっていることを報知する報知手段を有することを特徴とする請求項１記載の画像形成装置。
【請求項３】
前記サイズ設定手段によって設定した前記シート搬送方向の長さＸとシート搬送方向に直交する方向の長さＹとを入れ替えるか又は前記設定を保持するかの選択を受け付ける第１の選択手段を有することを特徴とする請求項１又は２記載の画像形成装置。
【請求項４】
前記給紙手段におけるシートの両端部をガイドするガイド手段を有し、前記ガイド手段は、前記長さ検知手段としても機能することを特徴とする請求項１乃至３の何れか１項に記載の画像形成装置。
【請求項５】
前記サイズ設定手段によってシートサイズが設定された後、前記シート有無検知手段によってシート無しが検知された場合であっても、前記サイズ設定手段によって設定されたシートサイズの設定を所定時間保持するサイズ保持手段を備えることを特徴とする請求項１乃至４の何れか１項に記載の画像形成装置。
【請求項６】
前記所定時間は、前記第１の選択手段によって前記設定を保持することが選択された後、前記給紙手段にセットされたシートのシート搬送方向とシート搬送方向に直交する方向とを入れ替えて前記シートをセットし直すための時間よりも長いことを特徴とする請求項５記載の画像形成装置。
【請求項７】
前記給紙手段に定型サイズのシートがセットされるか又はマニュアルで寸法が設定される操作者サイズシートがセットされるかの選択を受け付ける第２の選択手段を有することを特徴とする請求項１乃至６の何れか１項に記載の画像形成装置。
【請求項８】
定型サイズのシートがセットされることが選択された場合に、前記サイズ設定手段は、複数の定型サイズのシートの選択肢から任意の定型サイズを選択するものであることを特徴とする請求項７記載の画像形成装置。
【請求項９】
定型サイズのシートがセットされることが選択された場合に、前記入替手段は、設定された定型サイズのシートのシート搬送方向の長さＸと、シート搬送方向に直交する方向の長さＹを入れ替えることを特徴とする請求項７又は８記載の画像形成装置。
【請求項１０】
定型サイズのシートがセットされることが選択された場合に、前記報知手段は、設定された定型サイズのシートのシート搬送方向の長さＸと、シート搬送方向に直交する方向の長さＹとが入れ替わっていることを報知することを特徴とする請求項７乃至９の何れか１項に記載の画像形成装置。
【請求項１１】
定型サイズのシートがセットされることが選択された場合に、前記第１の選択手段は、設定された定型サイズのシートのシート搬送方向の長さＸと、シート搬送方向に直交する方向の長さＹとを入れ替えるか又は前記設定を保持するかの選択を受け付けることを特徴とする請求項７乃至１０の何れか１項に記載の画像形成装置。
【発明の詳細な説明】
【技術分野】
【０００１】
本発明は、シートサイズ設定手段を備えた画像形成装置に関する。
【背景技術】
【０００２】
複写機やプリンタをはじめとする画像形成装置は、画像が形成されるシートを格納して画像形成部に供給する給紙手段を備えている。給紙手段は、例えばシートの縦横２方向の長さを検知する長さ検知手段を備えたものが知られており、長さ検知手段によって自動的にシートサイズが検知される自動サイズ検知機能を備えるものがある。一方、縦横２方向の長さ検知手段を備えていない画像形成装置であって、シートサイズの一方又は両方を操作者が設定するためのシートサイズ設定手段を備えたものが知られている。
【０００３】
自動サイズ検知機能を備えていない画像形成装置においては、シートサイズを操作者が設定する必要があり、例えばＡ４サイズ、Ａ３サイズという定型サイズを設定する手段又は定型外のシートの縦及び横のサイズを任意に設定する手段を有するものがある。
【０００４】
ところで、自動サイズ検知機能を備えておらず、操作者がシートサイズを設定する画像形成装置においては、以下のような問題があった。すなわち、操作者の誤操作により、操作者が設定したシートサイズと実際に給紙装置に格納されたシートサイズが異なる場合、例えば、操作者設定はＡ４サイズだが、給紙装置に格納されたシートはＡ３サイズである場合がある。また、操作者の誤設定により、シートサイズは合致しているが、操作者が設定したシートサイズと給紙装置に格納されたシートの縦横方向のサイズが逆の場合、例えば、操作者設定はＡ４サイズであるが給紙装置にはＡ４Ｒとして格納されている場合がある。
【０００５】
操作者が設定したシートサイズと、給紙装置に格納されたシートサイズが異なると、画像形成時に、画像形成装置が認識するシートサイズと、画像形成部に給紙されるシートサイズが異なるために、操作者が望まない出力成果物が生成されることがある。また、設定シートサイズと給紙シートサイズとが異なることに起因して紙詰まり等のトラブルが発生することもある。
【０００６】
そこで、印刷開始後に給紙段から給紙されたシートの搬送方向の長さを検知して、操作者が設定したシートサイズと異なることを検知した場合、操作者に、再度シートサイズの設定を行わせる画像形成装置が提案されている（例えば、特許文献１参照）。
【先行技術文献】
【特許文献】
【０００７】
【特許文献１】特開２０１０−１４５６３４号公報
【発明の概要】
【発明が解決しようとする課題】
【０００８】
上記先行技術は、画像形成開始後に、給紙装置から供給された用紙の搬送方向のサイズと設定手段に設定された用紙の搬送方向のサイズとの不整合が検出された場合に、操作者に対して用紙サイズの再設定を行わせるものである。しかしながら、上記先行技術は、画像形成開始前に、操作者が設定した搬送方向の長さＸ及び搬送方向に直交する方向の長さＹの設定と、実際にセットされているシートの長さＸ及び幅Ｙとが入れ替わっている場合については何ら言及するものではなかった。
【０００９】
本発明は、給紙装置にセットされたシートとサイズ設定されたシートが同一でも、設定シートサイズとセットされたシートサイズの縦横長さが入れ替わっている場合、シートサイズを入れ替えることができる画像形成装置を提供することを目的とする。
【課題を解決するための手段】
【００１０】
上記課題を解決するために本発明の画像形成装置は、画像が形成されるシートを供給する給紙手段と、前記給紙手段にセットされたシートの搬送方向の長さＸ及び搬送方向に直交する方向の長さＹを設定するサイズ設定手段と、前記給紙手段に設けられた前記シートのシート搬送方向の長さＸ及びシート搬送方向に直交する方向の長さＹのいずれか１方を検知する長さ検知手段と、前記長さ検知手段が検知するシート長さと、前記サイズ設定手段により設定され、前記長さ検知手段が検知するシート長さと同じ方向のシート長さとが一致せず、前記長さ検知手段が検知するシート長さと、前記サイズ設定手段により設定され、前記長さ検知手段が検知するシート長さとは異なる方向のシート長さとが一致する場合に、前記サイズ設定手段により設定された前記シート搬送方向の長さＸとシート搬送方向に直交する方向の長さＹとを入れ替える入替え手段と、を有することを特徴とする。
【発明の効果】
【００１１】
本発明によれば、検知手段で検知されたシートの縦又は横方向の長さと、設定手段で設定された同じ方向のシート長さが一致せず、異なる方向のシート長さと一致する場合に、シートの縦横の設定サイズを入れ替えて再設定する入替手段を有する。これによって、再度、シートサイズ情報を入力、設定する手間を無くすことができるので、操作者による操作性を向上させることができる。
【図面の簡単な説明】
【００１２】
【図１】実施の形態に係る画像形成装置の正面図である。
【図２】図１の画像形成装置の画像形成部の概略構成を示す断面図である。
【図３】図１の画像形成装置における手差しトレイを示す平面図である。
【図４】図１の画像形成装置の操作部を示す模式図である。
【図５】図１の画像形成装置の制御構成を示すブロック図である。
【図６】図１の画像形成装置におけるシートトサイズ設定処理の手順を示すフローチャートである。
【図７】用紙サイズ設定画面を示す図である。
【図８】操作者サイズ設定画面を示す図である。
【図９】定型シートにおけるシートサイズ入れ替え画面を示す図である。
【図１０】操作者サイズシートにおけるシートサイズ入れ替え画面を示す図である。
【図１１】シートサイズ設定保持処理の手順を示すフローチャートである。
【図１２】シートサイズ不一致の警告画面を示す図である。
【発明を実施するための形態】
【００１３】
以下、実施の形態について図面を参照しつつ詳細に説明する。
【００１４】
図１は、実施の形態に係る画像形成装置の正面図である。図１において、画像形成装置１０は、画像形成部２００と、該画像形成部２００の上部に配置された原稿読み取り部３００及び操作部４００と、画像形成部２００の下部に配置されたシート格納部５００とから主として構成されている。シート格納部５００には、シートカセット５００ａ〜５００ｄ及び手差しトレイ５００ｅが設けられている。なお、手差しトレイ５００ｅは、画像形成部２００の側面に配置されている。
【００１５】
図２は、図１の画像形成装置１０の画像形成部２００の概略構成を示す断面図である。
図２において、画像形成部２００は、カラー画像を形成する画像形成部であって、イエロー（Ｙ）、マゼンダ（Ｍ）、シアン（Ｃ）及びブラック（Ｋ）の４色のトナー画像をそれぞれ形成する４つの形成ユニット１００Ｙ〜１００Ｋを備えている。各形成ユニットは、対応する感光ドラム１０１ａ〜１０１ｄ、該感光ドラム１０１ａ〜１０１ｄに対応してそれぞれ配置されたレーザスキャナ１０２ａ〜１０２ｄ、現像装置１０３ａ〜１０３ｄ、及び一次転写ローラ１０４ａ〜１０４ｄを備えている。なお、感光ドラムの表面を一様に帯電する帯電装置、一次転写後に感光ドラム表面に残留する残留トナーを回収するクリーニング装置は、図示省略されている。
【００１６】
形成ユニット１００Ｙ〜１００Ｋは、略水平方向に沿って配列されており、その下方に、中間転写ベルト１０５が回転自在に配置されている。中間転写ベルト１０５は、各形成ユニット１００Ｙ〜１００Ｋにおける各感光ドラム１０１と一次転写ローラ１０４との間を、感光ドラム１０１に当接するように、図１中矢印Ａ方向に回転する。中間転写ベルト１０５は、駆動ローラ１０５ａ、テンションローラ１０５ｂ及び二次転写ローラ１０６に対向する対向ローラ１０５ｃに張架されており、駆動ローラ１０５ａによって駆動される。
各感光ドラム１０１ａ〜１０１ｄに形成され、現像装置１０３ａ〜１０３ｄによって可視化されたトナー画像は、それぞれ中間転写ベルト１０５上に転写、重畳されてカラー画像を形成する。
【００１７】
中間転写ベルト１０５を張架する対向ローラ１０５ｃと、該対向ローラ１０５ｃに対向する二次転写ローラ１０６とで二次転写部を形成している。二次転写部には、後述するシート格納部５００からシートＳが供給され、中間転写ベルト１０５に転写されたカラー画像は二次転写部でシートＳに転写される。二次転写部の後流側には、定着装置１０７が設けられており、定着装置１０７は、定着ローラ及び該定着ローラを駆動する定着モータ１０８を有する。二次転写部でシートＳに転写されたカラー画像は、定着装置１０７においてシートＳに熱定着される。
【００１８】
感光ドラム１０１ａ〜１０１ｃは、ドラム駆動モータ１１１に電気的に接続されており、ドラム駆動モータ１１１によって駆動される。一方、感光ドラム１０１ｄは、ドラム駆動モータ１１２に電気的に接続されており、ドラム駆動モータ１１２によって駆動される。ドラム駆動モータ１１２は、また、形成ユニット１００Ｋにおける現像装置１０３ｄ及び中間転写ベルト１０５の駆動ローラ１０５ａに電気的に接続されており、現像装置１０３ｄ及び中間転写ベルト１０５の駆動ローラ１０５ａを駆動する。また、現像装置１０３ａ〜１０３ｃは、現像駆動モータ１１０と電気的に接続されており、現像駆動モータ１１０によって駆動される。
【００１９】
画像形成部２００の下方のシート格納部５００には、例えばシートカセット５００ａ〜５００ｄと、手差しトレイ５００ｅが設けられており、シートカセット又は手差しトレイから図示省略した給紙機構によってシートＳが１枚ずつ二次転写部に搬送される。
【００２０】
図３は、図１の画像形成装置１０における手差しトレイ５００ｅを示す平面図である。
【００２１】
図３において、手差しトレイ５００ｅは、シート搬送方向である矢印Ｂ方向に直交する方向に可動するスライドガイド５０１ａ、５０１ｂを備えている。手差しトレイ５００ｅにセットされたシートＳ（図示省略）に接触するようにスライドガイド５０１ａ、５０１ｂを移動することでシートＳの搬送方向に直交する両端部がガイドされる。スライドガイド５０１ａと５０１ｂは、可変抵抗器５０３の出力値を変化させることによってスライドガイドギア５０２を介して駆動され、その間隔が調整される構成となっている。スライドガイド５０１ａと５０１ｂ、スライドガイドギア５０２及び可変抵抗器５０３とで、シートＳの両端部をガイドするガイド手段を構成している。可変抵抗器５０３の出力値を長さ情報に変換する公知のシート長さ検知手段によりシート搬送方向に対して直交する方向のシート幅Ｙを検知することもできる。手差しトレイ５００ｅには、スライドガイド５０１ａと５０１ｂの間のシート載置面に、シートがセットされたか否かを検知するシート有無検知センサ５０４が設けられている。
【００２２】
図４は、図１の画像形成装置１０の操作部を示す模式図である。図４において、操作部４００は、タッチパネル式の操作画面４０１と、数字キーやプリント開始キー、停止キー等からなるボタンキー４０２等を備えている。操作者は、操作部４００を介して画像形成装置１０に対して様々な操作、例えば、後述するシートサイズの設定等を行う。操作者は、また、操作部４００を、各種情報を報知させる報知画面として機能させることもできる。各種情報には、例えば、手差しトレイ５００ｅにセットされたシートＳに対して、操作者によって設定されたシート搬送方向の長さＸとシート搬送方向に直交する方向の長さＹとが入れ替わっていることを報知する情報が含まれる。
【００２３】
次に、画像形成装置１０の制御構成について説明する。
【００２４】
図５は、図１の画像形成装置１０の制御構成を示すブロック図である。
【００２５】
図５において、画像形成装置１０は、画像形成制御部２１２を有しており、画像形成制御部２１２はＣＰＵ２０１、ＲＯＭ２０２、ＲＡＭ２０３を備えたＣＰＵ回路部２１３を備えている。各構成部を制御するＣＰＵ２０１は、通信コントローラ２１０、操作部４００、原稿読み取り部３００、ドラム駆動モータ１１１、１１２、及びレーザスキャナ１００と通信可能に接続されている。また、ＣＰＵ２０１は、定着器１０７、定着モータ１０８、シート格納部５００、可変抵抗器５０３、及びシート有無検知センサ５０４と通信可能に接続されている。
【００２６】
ＣＰＵ２０１は、操作部４００から又は通信コントローラ２１０を介してホストコンピュータ２１１から画像形成開始の指示を受信する。ＣＰＵ回路部２１３は、受信したジョブに対し、ジョブ情報などのデータ交換を行い、ＣＰＵ２０１は、ＣＰＵ回路部２１３からの指示に基づいてＲＯＭ２０２に格納されている各種プログラムを実行する。すなわち、ＣＰＵ２０１は、例えば、画像形成装置１０内のドラム駆動モータ１１１、１１２、レーザスキャナ１００を制御し、定着モータ１０８、定着器１０７等を制御して画像形成動作を実行する。
【００２７】
このような構成の画像形成装置を用いた画像形成は、以下のように行われる。
【００２８】
すなわち、操作部４００を介してプリント指示を受けた場合、原稿読み取り部３００で原稿の読み取りを行い、各色の画像信号がそれぞれ各形成ユニット１００Ｙ〜１００Ｋのレーザスキャナ１０２ａ〜１０２ｄに送られる。また、ホストコンピュータ２１１から通信コントローラ２１０を介してプリント指示を受信した場合も、各色の画像信号がそれぞれ各形成ユニット１００Ｙ〜１００Ｋのレーザスキャナ１０２ａ〜１０２ｄに送られる。
【００２９】
画像信号を受信したレーザスキャナ１０２ａ〜１０２ｄは、図示省略した帯電装置によって一様に帯電され、回転駆動する感光ドラム１０１ａ〜１０１ｄに、それぞれ画像信号に応じたレーザ光を照射して感光ドラム表面を露光して静電潜像を形成する。静電潜像は、現像装置１０３ａ〜１０３ｄによってそれぞれ現像されてトナー像となる。各トナー像は、感光ドラム１０１ａ〜１０１ｄと一次転写ローラ１０４ａ〜１０４ｄとで形成される各一次転写部において、それぞれ転写バイアスを受けて中間転写ベルト１０５に順次転写、重畳されてフルカラー画像となる。中間転写ベルト１０５に転写されたフルカラー画像は、二次転写部を形成する転写ローラ１０６と対向ローラ１０５ｃとのニップ部まで搬送され、該ニップ部で二次転写バイアスを受けて、シート格納部５００から供給されるシートＳに転写される。フルカラー画像が転写されたシートＳは、二次転写部の後流の定着装置１０７まで搬送され、ここでカラー画像がシートＳに熱定着される。フルカラー画像が定着されたシートＳは、図示省略した搬出ローラによって画像形成装置外に搬出される。
【００３０】
次に、画像形成装置１０を用いたシートサイズ設定処理について説明する。
【００３１】
図６は、図１の画像形成装置１０におけるシートサイズ設定処理の手順を示すフローチャートである。このシートサイズ設定処理は、画像形成制御部２１２のＣＰＵ２０１が、ＲＯＭ２０２に格納されたシートサイズ設定処理プログラムのシートサイズ設定処理手順に従って実行する。なお、このシートサイズ設定処理は、手差しトレイ５００ｅからシートＳが給紙される場合のシートサイズ設定処理である。
【００３２】
図６において、シートサイズ設定処理が開始されると、ＣＰＵ２０１は、シート有無検知センサ５０４（図３）の出力情報に基づいて手差しトレイ５００ｅ上のシートＳを検知したか否かを判別する（ステップＳ１０００）。例えば、操作者が、手差しトレイ５００ｅへシートＳをセットすると、ＣＰＵ２０１はシート有無検知センサ５０４の出力情報がシート無し状態からシート有り状態に変化したことを認識し、これによって、シートＳがセットされたことを検知する。操作者によって手差しトレイ５００ｅへシートＳがセットされ、シート有りを検知すると（ステップＳ１０００で「ＹＥＳ」）、ＣＰＵ２０１は、操作部４００に用紙サイズ設定画面を表示する（ステップＳ１００１）。
【００３３】
図７は、操作部４００に表示される用紙サイズ設定画面を示す図である。図７において、用紙サイズ設定画面には、複数の定型サイズのシートの選択肢から、任意の定型サイズを選択するための定型サイズ選択キー４０３が設けられている。また、用紙サイズ設定画面には、非定型サイズである操作者設定サイズを設定する画面に移行させるための操作者サイズ設定キー４０４が設けられている。
【００３４】
図６に戻り、操作部４００に用紙サイズ設定画面を表示した後、ＣＰＵ２０１は、操作者サイズ設定キー４０４が押圧されたか否かを判別する（ステップＳ１００２）。ステップＳ１００２の判別の結果、操作者サイズ設定キー４０４が押圧された（ステップＳ１００２で「ＹＥＳ」）場合、ＣＰＵ２０１は、操作部４００に操作者サイズ設定画面を表示して操作者に用紙のサイズを設定させる（ステップＳ１００３）。
【００３５】
図８は、操作者サイズ設定画面を示す図である。図８において、操作者サイズ設定画面には、シートＳの搬送方向のシート長さが「Ｘ」であり、搬送方向に直交する方向の長さ（幅）が「Ｙ」であることが表示されている。また、操作者サイズ設定画面には、Ｘ及びＹの長さを設定するサイズ設定欄と、設定したサイズを確認する「ＯＫ」ボタン及び再設定するための「戻る」ボタンが設けられている。操作者は、ボタンキー４０２（図４）に含まれるテンキーを用いて「シート長さＸ」と「シート幅Ｙ」の２方向の寸法をマニュアルで設定する。
【００３６】
図６に戻り、操作者サイズ設定画面を表示したＣＰＵ２０１は、操作者によるサイズ設定が完了したか否かを判別し（ステップＳ１００４）、完了するまで待機する。このとき、ＣＰＵ２０１は、図８のＯＫキーが押圧されることによって操作者サイズ設定が完了したことを確認し、その後、設定された「シート長さＸ」と「シート幅Ｙ」の２方向のシート長さ設定情報を確定する。一方、ステップＳ１００２の判別の結果、操作者サイズ設定キー４０４が押圧されない（ステップＳ１００２で「ＮＯ」）場合、ＣＰＵ２０１は、定型サイズキー４０３によって任意の定型サイズが設定されるまで待機する（ステップＳ１００５）。
【００３７】
次いで、操作者によって、任意の定型サイズキーが押圧されシートのサイズ設定が完了した後（ステップＳ１００５で「ＹＥＳ」）、ＣＰＵ２０１は、設定されたシートサイズ設定情報を確定させ、その後、処理をステップＳ１００６に進める。このとき、ＣＰＵ２０１は、図７の画面で、設定された定型サイズ情報からＲＯＭ２０２に予め記憶されている定型サイズが選択され、定型サイズの「シート長さＸ」と「シート幅Ｙ」の２方向のシート長さが設定されたものとみなす。即ち、図７に示す画面は、定型サイズの設定或いは非定型サイズの設定を選択する第２の選択手段として機能する。なお、定型サイズ選択キー４０３による設定がなされず、設定が完了しない場合、ＣＰＵ２０１は、処理をステップＳ１００２に戻す。
【００３８】
サイズ設定が完了した後、ＣＰＵ２０１は、可変抵抗器５０３の出力に基づいて検知した「シート幅Ｙ」の長さ検知情報と、ステップＳ１００４又は１００５で設定された「シート幅Ｙ」の長さ設定情報が一致するか否かを判別する（ステップＳ１００６）。
【００３９】
ここで、設定された「シート幅Ｙ」の情報を、「シート幅Ｙ」の設定情報といい、検知された「シート幅Ｙ」の情報を「シート幅Ｙ」の検知情報という。また、設定された「シート長さＸ」の情報を「シート長さＸ」の設定情報という。
【００４０】
ステップＳ１００６の判別の結果、２つの長さ情報が一致しない（ステップＳ１００６で「ＮＯ」）場合、ＣＰＵ２０１は、「シート幅Ｙ」の長さ検知情報と、「シート長さＸ」の設定情報とを比較して一致するか否か判別する（ステップＳ１００７）。ステップＳ１００７の判別の結果、２つの長さ情報が一致する（ステップＳ１００７で「ＹＥＳ」）場合、ＣＰＵ２０１は操作部４００に、サイズ保持又は入替による変更を選択させるための選択画面（第１の選択手段）を表示する（ステップＳ１００８）。この場合、ＣＰＵ２０１は、先ず、操作画面４０１に、設定された「シート長さＸ」と、「シート幅Ｙ」とが入れ替わっていることを報知することが好ましい。これによって、操作者は、その後の操作又は設定を予測又は計画することができる。
【００４１】
選択画面を表示したＣＰＵ２０１は、操作者によって、サイズ設定の変更が選択されたか否かを判別する（ステップＳ１００９）。ステップＳ１００９の判別の結果、操作者によってサイズ設定の変更が選択された（ステップＳ１００９で「ＹＥＳ」）場合、ＣＰＵ２０１は、図９又は図１０のシートサイズ設定入れ替え選択画面を表示する（ステップＳ１０１０）。例えば、「シート幅Ｙ」の検知情報と「シート長さＸ」の設定情報が一致している場合、定型シートであって縦横サイズが逆に設定されており、縦横サイズを入れ替えることによって、シートの設定情報と検知情報が一致する場合があるからである。
【００４２】
図９は、定型シートにおけるシートサイズ入れ替え画面を示す図である。この画面は、定型サイズのシートが設定された場合であって、シートサイズの縦横サイズの設定を間違えたことを理由に操作者にシートサイズの入れ替えを促す画面である。図９において、設定された定型シート情報と入れ替え後の定型シート情報が表示され、入れ替えを容認するための「入替え」ボタン及び再度設定するための「再設定」ボタンが設けられている。一方、図１０は、操作者が任意にシートサイズを設定する操作者サイズシートにおけるシートサイズ入れ替え画面を示す図である。この画面は、操作者によってシートサイズが設定された場合であって、「シート長さＸ」と「シート幅Ｙ」の長さ情報を逆に設定したことを理由に、設定値の入れ替えを促す画面である。図９と同様に、図１０にも、入れ替えを容認するための「入替え」ボタン及び再度設定するための「再設定」ボタンが設けられている。図９及び図１０において、再設定が選択された場合、ＣＰＵ２０１は、処理をステップ（Ｓ１００１）へ戻す。なお、図１０の画面では、手差しトレイ５００ｅへのシートＳのセット状態を維持し、手差しトレイ５００ｅにセットされたシートサイズに適合するように「シート長さＸ」及び「シート幅Ｙ」の双方を設定し直すこともできる。
【００４３】
図６に戻り、シートサイズ設定入れ替え選択画面を表示したＣＰＵ２０１は、操作者によって、シートサイズの入れ替えが選択されたか否かを判別する（ステップＳ１０１１）。そして、ＣＰＵ２０１は、シートサイズの入替えが選択された場合（ステップＳ１０１１で「ＹＥＳ」）、シートサイズの入れ替え処理を行う（ステップＳ１０１２）。すなわち、ＣＰＵ２０１は、定型サイズのシートＳが設定されている場合は、設定情報における「シート長さＸ」と「シート幅Ｙ」の長さ情報を入れ替えた定型サイズに変更する。一方、操作者サイズシートが設定されている場合は、シート長さ設定情報における「シート長さＸ」と「シート幅Ｙ」の長さ情報を入れ替える。
【００４４】
シートサイズ入れ替え処理を実行した後、ＣＰＵ２０１は、「シート長さＸ」と「シート幅Ｙ」の２方向のシート長さ情報を確定し（ステップＳ１０１３）、本シートサイズ設定処理を終了する。
【００４５】
一方、ステップＳ１００９の判別の結果、サイズ設定の変更が選択されなかった（ステップＳ１００９で「ＮＯ」）場合、ＣＰＵ２０１は、操作者によって、サイズ設定の保持が選択されたか否かを判別する（ステップＳ１０１５）。そして、ステップＳ１０１５の判別の結果、サイズ設定の保持が選択された（ステップＳ１０１５で「ＹＥＳ」）場合、ＣＰＵ２０１は、図１１のシートサイズ設定保持処理を実行する。
【００４６】
図１１は、シートサイズ設定保持処理の手順を示すフローチャートである。シートサイズ設定保持処理は、操作者のシートサイズの設定は正しいが手差しトレイ５００ｅへのシートのセット方向の縦横を取り違えた場合を救済するものである。この場合、操作者が行ったシートサイズの設定は、サイズ設定の保持が選択された後、所定時間保持され、少なくともセットされたシートの縦と横を入れ替えてシートＳをセットし直すための時間よりも長い時間保持される。
【００４７】
図１１において、シートサイズ設定保持処理が開始されると、ＣＰＵ２０１は、先ず、手差しトレイ５００ｅからシートＳが抜き取られるまで待機する（ステップＳ２０００）。すなわち、ＣＰＵ２０１は、シート有無検知センサ５０４の検知情報が、シート有りの状態からシート無しの状態に変化するまで待機する。ステップＳ２０００の判別の結果、シート有りからシート無しに変化した（ステップＳ２０００で「ＹＥＳ」）場合、ＣＰＵ２０１は、縦と横を逆にしたシートＳが再セットされる可能性があると判断する。そしてＣＰＵ２０１は、シート有無検知センサ５０４の検知情報が、シート無しの状態からシート有りの状態に変化するまで待機する（ステップＳ２００１）。
【００４８】
ステップＳ２００１の判別の結果、操作者によってシートＳの再セットが行われ（ステップＳ２００１で「ＹＥＳ」）、且つ「シート幅Ｙ」の検知情報と設定情報とが一致することを確認した場合、ＣＰＵ２０１は本シートサイズ設定保持処理を終了する。
【００４９】
一方、ステップＳ２００１の判別の結果、シートＳが再セットされない場合（ステップＳ２００１で「ＮＯ」）、ＣＰＵ２０１は、シート無状態を検知後、所定の時間Ｘが経過したか否かを判別する（ステップＳ２００２）。ステップＳ２００２の判別の結果、所定の時間Ｘが経過した（ステップＳ２００２で「ＹＥＳ」）場合、ＣＰＵ２０１は、シートが再セットされる可能性はないと判断する。そして、その後、ＣＰＵ２０１は、操作者が設定し、保持されていたシートサイズ設定情報をクリアし、本シートサイズ設定保持処理を終了する（ステップＳ２００３）。一方、ステップＳ２００２による判別の結果、シート無し状態を検知後、所定時間Ｘが経過していない場合（ステップＳ２００２で「ＮＯ」）、ＣＰＵ２０１は、操作者が設定したシートサイズ設定情報を保持する。そして、ＣＰＵ２０１は、サイズ設定情報を保持したまま（ステップＳ２００４）、処理をステップＳ２００１に戻す。操作者によってシートがセットし直されるまで待機するためである。
【００５０】
図１１のシートサイズ設定保持処理によれば、操作者のシートサイズの設定は正しいが、手差しトレイ５００ｅへのシートの縦横方向を取り違えてセットした場合に、操作者にシートＳを再セットする機会を与える。そして、所定時間Ｘ内に操作者によって、手差しトレイ５００ｅへのシートの縦横が逆になるようにセットし直されるまで操作者によるサイズ設定を保持し、セットし直されたシートのシートサイズと整合することを条件に保持した操作者設定を確定する。これによって、操作者によるシートサイズの再設定のための操作、例えば、図６のステップＳ１０００からステップＳ１００４又はステップＳ１００５までの操作を省略して操作負担を軽減することができる。
【００５１】
一方、ステップＳ１００７の判別の結果、「シート長さＸ」の設定情報と「シート幅Ｙ」の検知情報とが一致しない（ステップＳ１００７で「ＮＯ」の）場合、ＣＰＵ２０１は、図１２のシートサイズ不一致の警告画面を表示する（ステップＳ１０１５）。
【００５２】
図１２は、操作部４００に表示されるシートサイズ不一致の警告画面を示す図である。シートサイズ不一致の警告画面は、「シート幅Ｙ」の検知情報と、「シート長さＸ」の設定情報及び「シート幅Ｙ」の設定情報の両方が一致しない場合に、シートサイズの再設定を促すための画面である。図１２において、設定されたサイズとスライドガイドの幅が一致しないことを理由にスライドガイドの幅を確認してサイズ設定のやり直しを促す表示、及びやり直しを承認するための「ＯＫ」ボタンが表示されている。シートサイズ不一致の警告画面を表示した後、ＣＰＵ２０１は、処理をステップＳ１００１に戻す。また、ＣＰＵ２０１は、ステップＳ１０１１において、シートサイズの入れ替えが選択されなかった場合も同様に処理をステップＳ１００１に戻す。
【００５３】
図６の処理によれば、手差しトレイ５００ｅの可変抵抗器５０３に基づく「シート幅Ｙ」の長さ検知情報と、図７又は図８の画面によって設定された「シート幅Ｙ」の長さ設定情報が一致するか否か判別する。そして、検知情報と設定情報とが一致しない場合は、「シート幅Ｙ」の長さ検知情報と、「シート長さＸ」の長さ設定情報とが一致しているか否か判別する。そして、「シート幅Ｙ」の検知情報と「シート長さＸ」の設定情報とが一致している場合は、「シート幅Ｙ」と「シート長さＸ」とが入れ替わって設定された可能性があるとして、サイズの入れ替えを促す。そして、操作者による承認を条件にシートサイズを入れ替える。これによって、操作者がシートの「シート幅Ｙ」と「シート長さＸ」とを逆に設定した場合であっても、簡単にシートサイズの入れ替えを行うことができるので、最初から設定をやり直す再設定操作が不要となり、操作者によるシート設定操作を簡略化できる。
【００５４】
本実施の形態において、手差しトレイ５００ｅの長さ検知手段を「シート幅Ｙ」を検出するものとして説明したが、「シート長さＸ」を検出するものを適用することもできる。また、本実施の形態では、シートを手差しトレイ５００ｅにセットする場合について説明したが、本発明はこれに限定されるものではなく、シートカセット５００ａ〜５００ｄにセットする場合も同様に処理することができる。
【００５５】
本実施の形態において、「シート幅Ｙ」の検出情報と設定情報とが異なり、「シート幅Ｙ」の検出情報と「シート長さＸ」の設定情報とが一致する場合であっても、シートサイズが異なる場合がある。例えば、設定シートがＡ４版のシートであり、検出シートがＡ５シートの場合である。この場合は、図９の画面における入れ替え確認時に、操作者が、当然に、シートサイズが異なることに気付くので、入れ替えが選択されることがなく、再設定が選択される。従って、Ａ５シートとＡ４シートとが混同される等のトラブルを未然に防止することができる。
【符号の説明】
【００５６】
１００Ｙ〜１００Ｋ  形成ユニット
１０１ａ〜ｄ  感光ドラム
１０２ａ〜ｄ  レーザスキャナ
１０３ａ〜ｄ  現像装置
１０４ａ〜ｄ  一次転写ローラ
１０５  中間転写ベルト
１０６  転写ローラ
１０７  定着器
１０８  定着ローラ駆動用モータ
１１０  現像駆動モータ
１１１  ドラム駆動モータ
１１２  ドラム駆動モータ
１００  画像形成装置
２００  画像形成部
３００  原稿読み取り部
４００  操作部
５００  シート格納部
【図１】
2015129880.tif 000003
【図２】
2015129880.tif 000004
【図３】
2015129880.tif 000005
【図４】
2015129880.tif 000006
【図５】
2015129880.tif 000007
【図６】
2015129880.tif 000008
【図７】
2015129880.tif 000009
【図８】
2015129880.tif 000010
【図９】
2015129880.tif 000011
【図１０】
2015129880.tif 000012
【図１１】
2015129880.tif 000013
【図１２】
2015129880.tif 000014